(57)【特許請求の範囲】
【請求項１】
屋根に設けられる突条のハゼ部に取り付けられるハゼ用取付具において、
ハゼ部を挟持する第１及び第２の挟持体を備え、
各挟持体は、挟持する方向と直交する方向に沿って配置される挟持部を備え、
第１の挟持体は、螺子体に螺合されることで螺子体を挟持する方向に移動させる螺子孔と、螺子体の先端部で挟持する方向に押されて移動する第２の挟持体を、挟持する方向に沿って案内する案内部とを備えることを特徴とするハゼ用取付具。
【請求項２】
第１の挟持体は、本体部の一方側から垂下する第１の垂下部と、第１の垂下部と対面するように、本体部の他方側から垂下する第２の垂下部とを備え、
第１の挟持部は、第１の垂下部から第２の垂下部に向けて突設されると共に、螺子孔は、第２の垂下部に設けられ、
第２の挟持体は、螺子体の先端部に押圧されるべく、第１及び第２の垂下部間であって且つ第２の垂下部と対面するように配置される押圧部を備え、
第２の挟持部は、押圧部から第１の垂下部に向けて突設される請求項１に記載のハゼ用取付具。
【請求項３】
第２の挟持体は、螺子体に押されて移動する際に挟持する方向と直交する方向に移動するのを規制すべく、挟持する方向と直交する方向で第１の挟持体を係止可能な規制部を備える請求項１又は２に記載のハゼ用取付具。
【請求項４】
第１の挟持体は、第２の挟持体が螺子体に押されて移動する際に挟持する方向と直交する方向に移動するのを規制すべく、挟持する方向と直交する方向で第２の挟持体を係止可能な規制部を備える請求項１又は２に記載のハゼ用取付具。
【発明の詳細な説明】
【技術分野】
【０００１】
本発明は、屋根に設けられる突条のハゼ部に取り付けられるハゼ用取付具に関する。
【背景技術】
【０００２】
従来、ハゼ用取付具として、図１４に示すように、取付金具９１と、取付金具９１に設けられる螺子孔９１３ａに螺合される螺子体９２とで、ハゼ部Ｘを挟持するハゼ用取付具が知られている（例えば、特許文献１）。斯かるハゼ用取付具において、取付金具９１は、本体部９１１の一方側から垂下する第１の垂下部９１２と、第１の垂下部９１２と対面するように本体部９１１の他方側から垂下し、螺子孔９１３ａが配設される第２の垂下部９１３とを備える。
【０００３】
そして、斯かるハゼ用取付具において、ハゼ部Ｘを挟持する一対の挟持部９１４，９２１は、第１の垂下部９１２から第２の垂下部９１３に向けて突設される第１の挟持部９１４と、螺子体９２の先端部である第２の挟持部９２１とからなる。具体的には、螺子体９２が螺子孔９１３ａと螺合することにより、取付金具９１の第１の挟持部９１４と、螺子体９２の先端部である第２の挟持部９２１が接近するため、一対の挟持部９１４，９２１でハゼ部Ｘを挟持することができる。
【先行技術文献】
【特許文献】
【０００４】
【特許文献１】実開平２−６０１２６号公報
【発明の概要】
【発明が解決しようとする課題】
【０００５】
ところで、特許文献１に係るハゼ用取付具において、第１の挟持部９１４は、挟持する方向と直交する方向に沿って配置されているため、ハゼ部Ｘに線状に当接するのに対して、第２の挟持部９２１は、螺子体９２の先端部であるため、ハゼ部Ｘに点状に当接する。したがって、ハゼ部Ｘに対する取り付け状態が不安定になるといった問題を生じさせている。
【０００６】
よって、本発明は、斯かる事情に鑑み、ハゼ部に対する取り付け状態の安定性を向上させることができるハゼ用取付具を提供することを課題とする。
【課題を解決するための手段】
【０００７】
本発明に係るハゼ用取付具は、屋根に設けられる突条のハゼ部に取り付けられるハゼ用取付具において、ハゼ部を挟持する第１及び第２の挟持体を備え、各挟持体は、挟持する方向と直交する方向に沿って配置される挟持部を備え、第１の挟持体は、螺子体に螺合されることで螺子体を挟持する方向に移動させる螺子孔と、螺子体の先端部で挟持する方向に押されて移動する第２の挟持体を、挟持する方向に沿って案内する案内部とを備えることを特徴とする。
【０００８】
本発明に係るハゼ用取付具によれば、一対の挟持体が挟持部でハゼ部を挟持する。そして、各挟持部がハゼ部を挟持する方向と直交する方向に沿って配置されているため、一対の挟持体がハゼ部を挟持して取り付けられている際には、各挟持部がハゼ部と線状に当接することになる。これにより、ハゼ部に取り付けられた状態の安定性を向上させることができる。
【０００９】
また、第１の挟持体に設けられる螺子孔に螺子体が螺合することにより、螺子体が挟持する方向に移動するため、螺子体の先端部が第２の挟持体を挟持する方向に押す。そして、第２の挟持体が螺子体に押されて移動する際に、第１の挟持体の案内部が挟持する方向に沿って第２の挟持体を案内する。これにより、ハゼ部に取り付ける際、即ち、一対の挟持部でハゼ部を挟持させる際に、第２の挟持体の移動の安定性を向上させることができる。
【００１０】
また、本発明に係るハゼ用取付具においては、第１の挟持体は、本体部の一方側から垂下する第１の垂下部と、第１の垂下部と対面するように、本体部の他方側から垂下する第２の垂下部とを備え、第１の挟持部は、第１の垂下部から第２の垂下部に向けて突設されると共に、螺子孔は、第２の垂下部に設けられ、第２の挟持体は、螺子体の先端部に押圧されるべく、第１及び第２の垂下部間であって且つ第２の垂下部と対面するように配置される押圧部を備え、第２の挟持部は、押圧部から第１の垂下部に向けて突設されてもよい。
【００１１】
斯かる構成のハゼ用取付具によれば、第１の挟持体には、本体部の一方側から垂下する第１の垂下部と、第１の垂下部と対面するように、本体部の他方側から垂下する第２の垂下部とが設けられ、そして、第２の挟持体には、第１及び第２の垂下部間であって且つ第２の垂下部と対面するように配置される押圧部が設けられている。また、第１の挟持部が第１の垂下部から第２の垂下部に向けて突設されていると共に、第２の挟持部が押圧部から第１の垂下部に向けて突設されている。
【００１２】
そして、第２の垂下部に設けられる螺子孔に螺子体が螺合すると、螺子体の先端部が第２の挟持体の押圧部に当接するため、第２の挟持体が螺子体に押される。そして、第２の挟持体が挟持する方向に沿って移動すると、一対の挟持部が接近し、その結果、一対の挟持部でハゼ部を挟持することができる。
【００１３】
また、本発明に係るハゼ用取付具においては、第２の挟持体は、螺子体に押されて移動する際に挟持する方向と直交する方向に移動するのを規制すべく、挟持する方向と直交する方向で第１の挟持体を係止可能な規制部を備えてもよい。
【００１４】
斯かる構成のハゼ用取付具によれば、第２の挟持体が螺子体に押されて移動する際に、第２の挟持体に設けられる規制部が、挟持する方向と直交する方向で第１の挟持体を係止できる。したがって、第２の挟持体が挟持する方向に沿って移動する際に、第２の挟持体が挟持する方向と直交方向に移動するのを規制できる。これにより、第２の挟持体の移動の安定性をさらに向上させることができる。
【００１５】
また、本発明に係るハゼ用取付具においては、第１の挟持体は、第２の挟持体が螺子体に押されて移動する際に挟持する方向と直交する方向に移動するのを規制すべく、挟持する方向と直交する方向で第２の挟持体を係止可能な規制部を備えてもよい。
【００１６】
斯かる構成のハゼ用取付具によれば、第２の挟持体が螺子体に押されて移動する際に、第１の挟持体に設けられる規制部が、挟持する方向と直交する方向で第２の挟持体を係止できる。したがって、第２の挟持体が挟持する方向に沿って移動する際に、第２の挟持体が挟持する方向と直交方向に移動するのを規制できる。これにより、第２の挟持体の移動の安定性をさらに向上させることができる。
【発明の効果】
【００１７】
以上の如く、本発明に係るハゼ用取付具によれば、ハゼ部に対する取り付け状態の安定性を向上させることができるという優れた効果を奏する。
【図面の簡単な説明】
【００１８】
【図１】本発明の一実施形態に係るハゼ用取付具の全体図であって、正面図を示す。
【図２】同実施形態に係るハゼ用取付具の全体図であって、（ａ）は平面図、（ｂ）は底面図を示す。
【図３】同実施形態に係るハゼ用取付具の全体図であって、（ａ）は右側面図、（ｂ）は図１のＡ−Ａ線における断面図を示す。
【図４】同実施形態に係る第１の挟持体の全体図であって、（ａ）は正面図、（ｂ）は平面図、（ｃ）は右側面図、（ｄ）は底面図を示す。
【図５】同実施形態に係る第２の挟持体の全体図であって、（ａ）は正面図、（ｂ）は平面図、（ｃ）は右側面図、（ｄ）は底面図を示す。
【図６】同実施形態に係るハゼ用取付具のハゼ部への取り付け方法を説明する図であって、（ａ）及び（ｂ）はそれぞれ正面図を示す。
【図７】同実施形態に係るハゼ用取付具のハゼ部への取り付け方法を説明する図であって、（ａ）及び（ｂ）はそれぞれ正面図を示す。
【図８】本発明の他の実施形態に係るハゼ用取付具の全体図であって、（ａ）は正面図、（ｂ）は底面図を示す。
【図９】同実施形態に係る第１の挟持体の全体図であって、（ａ）は正面図、（ｂ）は平面図、（ｃ）は右側面図、（ｄ）は底面図を示す。
【図１０】本発明のさらに他の実施形態に係るハゼ用取付具の全体図であって、（ａ）は正面図、（ｂ）はＥ−Ｅ線における断面図を示す。
【図１１】同実施形態に係る第１の挟持体の全体図であって、（ａ）は正面図、（ｂ）は平面図、（ｃ）は右側面図、（ｄ）は底面図を示す。
【図１２】同実施形態に係る第２の挟持体の全体図であって、（ａ）は正面図、（ｂ）は平面図、（ｃ）は右側面図、（ｄ）は底面図を示す。
【図１３】本発明のさらに他の実施形態に係るハゼ用取付具の図であって、（ａ）は全体底面図、（ｂ）は第１の挟持体における全体底面図、（ｃ）は第２の挟持体における全体底面図を示す。
【図１４】従来におけるハゼ用取付具の全体正面図を示す。
【発明を実施するための形態】
【００１９】
以下、本発明に係るハゼ用取付具における一実施形態について、図１〜図７を参酌して説明する。
【００２０】
本実施形態に係るハゼ用取付具は、図１に示すように、屋根において突設され且つ所定方向に沿って延設される突条のハゼ部Ｘに取り付けられる。そして、ハゼ用取付具は、屋根上装置（例えばソーラーパネルの支持材やエアコンの室外機等）の被固定体（図示していない）Ｙを上部に固定することで、被固定体Ｙをハゼ部Ｘに固定させる。
【００２１】
また、ハゼ用取付具は、図１〜図５に示すように、ハゼ部Ｘを挟持する第１の挟持体（以下、「第１挟持体」ともいう）１及び第２の挟持体（以下、「第２挟持体」ともいう）２を備える。なお、第１挟持体１と第２挟持体２とは、互いに着脱自在に構成されている。
【００２２】
そして、ハゼ用取付具は、第１挟持体１に設けられる螺子孔１３１，１３１に螺合することにより、先端部３１で第２挟持体２を挟持する方向（以下、「挟持方向」ともいう）に押す螺子体３，３を備える。さらに、ハゼ用取付具は、被固定体Ｙを固定するための固定体４を備える。
【００２３】
第１挟持体１は、上方に配置される本体部１１と、本体部１１の挟持方向の一方側から垂下する第１の垂下部（以下、「第１垂下部」ともいう）１２と、第１垂下部１２と対面するように、本体部１１の挟持方向の他方側から垂下する第２の垂下部（以下、「第２垂下部」ともいう）１３とを備える。また、第１挟持体１は、第２挟持体２とでハゼ部Ｘを挟持すべく、第１垂下部１２から第２垂下部１３に向けて突設される第１の挟持部（以下、「第１挟持部」ともいう）１４を備える。
【００２４】
さらに、第１挟持体１は、螺子体３に押されて移動する第２挟持体２を、挟持方向に沿って案内する案内部１５，１５を備える。なお、第１挟持体１は、金属板を所定形状に打ち抜かれた（打ち抜き加工）後、所定位置で折り曲げられたり（折り曲げ加工）、溶接されたり（溶接加工）して、形成されている。
【００２５】
本体部１１は、挟持方向の中途部で且つ挟持方向と直交する方向の中途部に、固定体４に挿通される孔部１１１を備える。また、本体部１１は、平板状に形成されると共に、ハゼ部Ｘに取り付けられた際に、水平方向に沿って配置される。そして、本体部１１は、上面部にて、被固定体Ｙを支持する。
【００２６】
第１垂下部１２は、平板状に形成されている。そして、第１垂下部１２は、本体部１１の一端部から下方に向けて突出するように（垂下するように）配置されていると共に、本体部１１と直交するように配置されている。
【００２７】
第２垂下部１３は、平板状に形成されている。そして、第２垂下部１３は、本体部１１の他端部から下方に向けて突出するように（垂下するように）配置されている。また、第２垂下部１３は、本体部１１と直交するように配置されていると共に、第１垂下部１２と平行となるように配置されている。
【００２８】
さらに、第２垂下部１３は、螺子体３に螺合される螺子孔１３１，１３１を一対配設している。そして、各螺子孔１３１は、一対の垂下部１２，１３同士が対面する方向、即ち、挟持方向で貫通しているため、螺子体３に螺合されるのに伴って、第２垂下部１３に対して螺子体３を挟持方向に移動させる。具体的には、各螺子孔１３１は、ナットであって、平板状の垂下部本体１３２に固定されている。
【００２９】
第１挟持部１４は、平板状に形成されており、先端部でハゼ部Ｘを挟持する。そして、第１挟持部１４は、第１垂下部１２の下端部から挟持方向に向けて突出するように配置されている。これにより、第１挟持部１４は、挟持方向と直交する方向に沿って長尺に配置されている。また、第１挟持部１４は、本体部１１と平行となるように配置されていると共に、第１垂下部１２と直交するように配置されている。
【００３０】
各案内部１５は、平板状に形成され、連結部１６を介して、本体部１１と連結されている。そして、一対の案内部１５，１５は、挟持方向において、本体部１１の他方側（第２垂下部１３側）に配置されていると共に、挟持方向と直交する方向において、本体部１１の両側に配置されている。具体的には、各案内部１５は、連結部１６を介して本体部１１から挟持方向と直交する方向に突設されている。
【００３１】
また、各案内部１５は、本体部１１と平行となるように配置されていると共に、上面部が挟持方向に沿うように配置されている。さらに、各案内部１５は、本体部１１よりも下方側に配置されている。そして、各案内部１５は、上面部で、第２挟持体２を挟持方向に沿って案内する。なお、各連結部１６は、平板状に形成されていると共に、本体部１１や案内部１５と傾斜して交差するように配置されている。
【００３２】
加えて、各案内部１５は、挟持方向において、両側で本体部１１と離間して配置されている。具体的には、本体部１１と各案内部１５との間には、挟持方向における他方側（第２垂下部１３側）に、第２挟持体２を第１挟持体１に着脱させるための着脱用の間隙１７が設けられると共に、挟持方向における一方側（第１垂下部１２側）に、案内部１５及び連結部１６を折り曲げ加工により形成するための加工用の間隙１８が設けられている。
【００３３】
第２挟持体２は、第１挟持体１に装着された際に、螺子体３の先端部３１に押圧されるべく、第１及び第２垂下部１２，１３間に配置される押圧部２１を備える。そして、第２挟持体２は、第１挟持部１４とでハゼ部Ｘを挟持すべく、押圧部２１から第１垂下部１２に向けて突設される第２の挟持部（以下、「第２挟持部」ともいう）を備える。
【００３４】
また、第２挟持体２は、第１挟持体１の案内部１５を内部に挿入させることで、案内部１５を抜け止めする凹状の抜止部２３，２３を備える。さらに、第２挟持体２は、ハゼ部Ｘに取り付けられた際に、第１挟持体１の本体部１１と共に被固定体Ｙを支持する支持部２４を備える。なお、第２挟持体２は、金属板を所定形状に打ち抜かれた（打ち抜き加工）後、所定位置で折り曲げられて（折り曲げ加工）、形成されている。
【００３５】
押圧部２１は、平板状に形成されている。また、押圧部２１は、第２挟持体２が第１挟持体１に装着された際に、第１垂下部１２や第２垂下部１３と略平行となるように配置される。そして、押圧部２１は、第２垂下部１３と対面するように配置されており、第２垂下部１３と対面する面が螺子体３の先端部３１に当接される。
【００３６】
第２挟持部２２は、平板状に形成されており、先端部でハゼ部Ｘを挟持する。また、第２挟持部２２は、押圧部２１と直交する方向（挟持方向）に、押圧部２１の下端部から突出するように配置されている。これにより、第２挟持部２２は、挟持する方向と直交する方向に沿って長尺に配置されている。また、第２挟持部２２は、第２挟持体２が第１挟持体１に装着された際に、第１挟持部１４と先端部同士が対面するように配置されている。
【００３７】
各抜止部２３は、第１挟持体１の案内部１５を内部に挿入させた際（第２挟持体２が第１挟持体１に装着された際）に、案内部１５の上方に配置され、案内部１５が抜けるのを防止すべく、案内部１５を掛止する掛止部２３１を備える。なお、掛止部２３１は、第２挟持体２が螺子体３に押されて移動する際に、挟持方向に沿って案内部１５に案内される。したがって、本実施形態においては、掛止部２３１を、「被案内部」ともいう。
【００３８】
また、各抜止部２３は、第２挟持体２が螺子体３に押されて移動する際に挟持方向と直交する方向に移動するのを規制する規制部２３２を備える。そして、規制部２３２は、案内部１５の側方（挟持方向と直交方向における外方）に配置され、挟持方向と直交する方向で案内部１５の先端部を係止可能に構成されている。
【００３９】
支持部２４は、平板状に形成される。また、支持部２４は、押圧部２１と直交する方向（挟持方向）に、押圧部２１の上端部から突出するように配置されている。そして、支持部２４は、一対の挟持体１，２がハゼ部Ｘに取り付けられた際に、上面部が本体部１１の下面部と密接する。
【００４０】
また、支持部２４は、第２挟持体２が挟持方向に沿って移動する際に、上面部が本体部１１の下面部と当接することで、挟持方向と直交する方向を軸として揺動するのを抑制する。さらには、支持部２４は、第２挟持体２が挟持方向に沿って移動する際に、上面部が本体部１１の下面部と摺動することで、挟持方向に沿って案内される。したがって、本実施形態においては、支持部２４を、「揺動抑制部」や「被案内部」ともいい、また、本体部１１を、「案内部」ともいう。
【００４１】
螺子体３は、本実施形態においては、ボルトとしており、緩み止め手段としてのナット５が螺着されている。また、固定体４は、本実施形態においては、ボルトとしており、被固定体Ｙを固定するためのナット（図示していない）５が螺着される。
【００４２】
なお、第１挟持体１における第１垂下部１２と加工用の間隙１８との間の距離は、第１挟持部１４が第１垂下部１２から突出する量と、第２挟持部２２が押圧部２１から突出する量との和よりも小さい。したがって、第２挟持体２が挟持方向に沿って移動しても、第２挟持体２の抜止部２３が第１挟持体１の加工用の間隙１８に到達することがないため、第２挟持体２が加工用の間隙１８を介して第１挟持体１から抜け外れることはない。
【００４３】
本実施形態に係るハゼ用取付具の構成については以上の通りであり、次に、本実施形態に係るハゼ用取付具のハゼ部Ｘへの取り付け方法について、図６及び図７を参酌して、説明する。
【００４４】
まず、図６（ａ）に示すように、第１挟持体１と第２挟持体２とが分離されている。そして、第２挟持体２を上方（図６（ａ）のＢ矢印方向）に移動させて第１挟持体１に接近させることで、図６（ｂ）に示すように、第２挟持体２の各抜止部２３が、第１挟持体１の着脱用の間隙１７に挿入される。
【００４５】
そして、挟持部１４，２２同士が接近するように、第２挟持体２を挟持方向（図６（ｂ）のＣ矢印方向）に沿って移動させる。これにより、第２挟持体２の掛止部２３１が第１挟持体１の案内部１５の上面部を掛止するため、第２挟持体２の抜止部２３から第１挟持体１の案内部１５が抜けるのを防止できる。
【００４６】
斯かる状態を維持して、図７（ａ）に示すように、挟持部１４，２２同士間にハゼ部Ｘを配置させる。そして、螺子体３を回すと、第２挟持体２の押圧部２１が螺子体３の先端部３１に押されるため、第２挟持体２が挟持方向（図７（ａ）のＤ矢印方向）に沿って移動する。
【００４７】
このとき、第２挟持体２の掛止部２３１が第１挟持体１の案内部１５に摺動して案内されている。併せて、第２挟持体２の支持部２４が第１挟持体１の本体部１１に摺動して案内されると共に、第２挟持体２が挟持方向と直交する方向を軸として揺動するのを抑制されている。
【００４８】
さらに、第２挟持体２の規制部２３２が挟持方向と直交する方向で案内部１５の先端部を係止することで、第２挟持体２が螺子体３に押されて移動する際に挟持方向と直交する方向に移動するのを規制している。このように、第２挟持体２が安定した状態で移動を続けると、図７（ｂ）に示すように、第１挟持部１４と第２挟持部２２とでハゼ部Ｘを挟持できる。
【００４９】
以上より、本実施形態に係るハゼ用取付具によれば、第１及び第２挟持体１，２が挟持部１４，２２でハゼ部Ｘを挟持する。そして、各挟持部１４，２２が挟持方向と直交する方向に沿って配置されているため、一対の挟持体１，２がハゼ部Ｘを挟持して取り付けられている際には、各挟持部１４，２２がハゼ部Ｘに線状に当接することになる。これにより、ハゼ部Ｘに取り付けられた状態の安定性を向上させることができる。
【００５０】
また、本実施形態に係るハゼ用取付具によれば、第１挟持体１に設けられる螺子孔１３１に螺子体３が螺合することにより、螺子体３が挟持方向に移動するため、螺子体３の先端部３１で第２挟持体２を挟持方向に押すことになる。そして、第２挟持体２が螺子体３に押されて移動する際に、第１挟持体１の案内部１５が挟持方向に沿って第２挟持体２を案内する。これにより、ハゼ部Ｘに取り付けられる際、即ち、一対の挟持部１，２でハゼ部Ｘを挟持させる際に、第２挟持体２の移動の安定性を向上させることができる。
【００５１】
また、本実施形態に係るハゼ用取付具によれば、第１挟持体１には、本体部１１の一方側から垂下する第１垂下部１２と、第１垂下部１２と対面するように、本体部１１の他方側から垂下する第２垂下部１３とが設けられる。そして、第２挟持体２には、第１及び第２の垂下部１２，１３間であって且つ第２垂下部１３と対面するように配置される押圧部２１が設けられている。
【００５２】
また、第１挟持部１が第１垂下部１２から第２垂下部１３に向けて突設されていると共に、第２挟持部２が押圧部２１から第１垂下部１２に向けて突設されている。そして、第２垂下部１３に設けられる螺子孔１３１に螺子体３が螺合すると、螺子体３の先端部３１が第２挟持体２の押圧部２１に当接するため、第２挟持体２が螺子体３に押される。そして、第２挟持体２が挟持方向に沿って移動すると、一対の挟持部１４，２２が接近し、その結果、一対の挟持部１４，２２でハゼ部Ｘを挟持することができる。
【００５３】
また、本実施形態に係るハゼ用取付具によれば、第２挟持体２が螺子体３に押されて移動する際に、第２挟持体２に設けられる規制部２３２が挟持方向と直交する方向で第１挟持体１を係止できる。したがって、第２挟持体２が挟持方向に沿って移動する際に、第２挟持体２が挟持方向と直交方向に移動するのを規制できる。これにより、第２挟持体２の移動の安定性をさらに向上させることができる。
【００５４】
次に、本発明に係るハゼ用取付具における第２の実施形態について、図８及び図９を参酌して説明する。なお、図８及び図９において、図１〜図７の符号と同一の符号を付した部分は、第１実施形態と略同一の構成又は要素を表す。
【００５５】
本実施形態に係るハゼ用取付具は、図８及び図９に示すように、第１実施形態に係るハゼ用取付具に対して、第１挟持体１の構成が相違し、第２挟持体２、螺子体３、固定体４、及びナット５の構成については同一である。したがって、本実施形態に係るハゼ用取付具については、第１挟持体１０の構成についてのみ説明する。
【００５６】
本実施形態に係る第１挟持体１０において、第１垂下部１２と加工用の間隙１８との間の距離は、第１挟持部１４が第１垂下部１２から突出する量と、第２挟持部２２が押圧部２１から突出する量との和よりも大きい。したがって、第１挟持体１０は、第２挟持体２が挟持方向に沿って移動した際に、第２挟持体２が加工用の間隙１８を介して第１挟持体１０から抜け外れるのを防止すべく、第２挟持体２を係止可能な脱抜防止部１９を備える。
【００５７】
脱抜防止部１９は、板状に形成されている。そして、脱抜防止部１９は、本体部１１０から下方側に向けて突出している。具体的には、脱抜防止部１９は、本体部１１０における挟持方向の中途部から第２垂下部１３に向けて斜め下方に突出している。そして、脱抜防止部１９は、先端部で第２挟持体２を挟持方向において係止可能に構成されている。
【００５８】
なお、脱抜防止部１９は、本体部１１０の一部（略矩形の三辺）を切断し、折り曲げて形成されている。したがって、本体部１１０には、脱抜防止部１９の形状に相当する切欠（採番していない）が設けられている。
【００５９】
以上より、本実施形態に係るハゼ用取付具によれば、第１実施形態に係るハゼ用取付具に対して、幅広なハゼ部Ｘに対しても適用できる。しかも、脱抜防止部１９が先端部で第２挟持体２を係止できるため、第２挟持体２が加工用の間隙１８から抜け外れるのを防止できる。
【００６０】
次に、本発明に係るハゼ用取付具における第３の実施形態について、図１０〜図１３を参酌して説明する。なお、図１０〜図１３において、図１〜図７の符号と同一の符号を付した部分は、第１実施形態と略同一の構成又は要素を表す。
【００６１】
図１０〜図１３に示すように、本実施形態に係る第１挟持体１００は、第１実施形態に係る第１挟持体１と略同様に、孔部１１１を有する本体部１１と、第１垂下部１２と、螺子孔１３１及び垂下部本体１３２を有する第２垂下部１３と、第１挟持部１４とを備える。
【００６２】
そして、第１挟持体１００は、第２挟持体２００の所定部位（後述する掛止部）２３０を内部に挿入させることで、当該所定部位（掛止部）２３０を抜け止めする凹状の抜止部１５０，１５０を備える。また、第１挟持体１００は、第２垂下部１３と各抜止部１５０との間に、第２挟持体２００を第１挟持体１００に着脱させるための着脱用の間隙１７０を備える。
【００６３】
本実施形態に係る第２挟持体２００は、第１実施形態に係る第２挟持体２と略同様に、押圧部２１と、第２挟持部２２と、支持部２４とを備える。そして、第２挟持体２００は、各抜止部１５０の内部に挿入され、各抜止部１５０を掛止する掛止部２３０，２３０を備える。
【００６４】
各抜止部１５０は、螺子体３に押されて移動する第２挟持体２００を、挟持方向に沿って案内する案内部１５１を備える。また、各抜止部１５０は、第２挟持体２００が螺子体３に押されて移動する際に挟持方向と直交する方向に移動するのを規制すべく、挟持方向と直交する方向で第２挟持体２００を係止可能な規制部１５２を備える。
【００６５】
各案内部１５１は、平板状に形成され、規制部１５２を介して、本体部１１と連結されている。そして、一対の案内部１５１，１５１は、挟持方向において、本体部１１の他方側（第２垂下部１３側）に配置されていると共に、挟持方向と直交する方向において、本体部１１の両側に配置されている。
【００６６】
また、各案内部１５１は、本体部１１と平行となるように配置されていると共に、本体部１１よりも下方側に配置されている。さらに、各案内部１５１は、上面部が挟持方向に沿うように配置されている。そして、各案内部１５１は、上面部で、第２挟持体２００の掛止部２３０を挟持方向に沿って案内する。
【００６７】
各規制部１５２は、第２挟持体２００が第１挟持体１００に装着された際に、掛止部２３０の側方（挟持方向と直交方向における外方）に配置される。そして、各規制部１５２は、第２挟持体２が螺子体３に押されて移動する際に挟持方向と直交する方向に移動するのを規制すべく、挟持方向と直交する方向で掛止部２３０の先端部を係止可能に構成されている。
【００６８】
掛止部２３０，２３０は、押圧部２１の上端部から、挟持方向と直交する方向の両側に向けて突設されている。そして、各掛止部２３０は、第１挟持体１００の抜止部１５０の内部に挿入された際（第２挟持体２００が第１挟持体１００に装着された際）に、案内部１５１の上方に配置されると共に、第２挟持体２が螺子体３に押されて移動する際に、挟持方向に沿って案内部１５１に案内される。したがって、本実施形態においては、掛止部２３０を、「被案内部」ともいう。
【００６９】
以上より、本実施形態に係るハゼ用取付具によれば、各着脱用の間隙１７０を介して、第２挟持体２００の各掛止部２３０を、第１挟持体１００の抜止部１５０の内部に挿入させた後に、第１挟持体１００に設けられる螺子孔１３１に螺子体３を螺合させる。すると、螺子体３が挟持方向に移動するため、螺子体３の先端部３１が第２挟持体２００を挟持方向に押す。
【００７０】
そして、第２挟持体２００が螺子体３に押されて移動する際に、第１挟持体１００の案内部１５１が挟持方向に沿って第２挟持体２００を案内する。これにより、ハゼ部Ｘに取り付ける際、即ち、一対の挟持部１４，２２でハゼ部Ｘを挟持させる際に、第２挟持体２００の移動の安定性を向上させることができる。
【００７１】
また、本実施形態に係るハゼ用取付具によれば、第２挟持体２００が螺子体３に押されて移動する際に、第１挟持体１００に設けられる規制部１５２が挟持方向と直交する方向で第２挟持体２００を係止できる。したがって、第２挟持体２００が挟持方向に沿って移動する際に、第２挟持体２００が挟持方向と直交方向に移動するのを規制できる。これにより、第２挟持体２００の移動の安定性をさらに向上させることができる。
【００７２】
なお、本発明に係るハゼ用取付具は、上記した実施の形態に限定されるものではなく、本発明の要旨を逸脱しない範囲内において種々変更を加え得ることは勿論である。また、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００７３】
例えば、本発明に係るハゼ用取付具おいては、図１３に示すように、第１及び第２挟持部１４０，２２０は、先端部が凹凸形状となるように形成されている構成でもよい。なお、図１３に示されている第１挟持部１４０と第２挟持部２２０とは、互いに当接した際に嵌合するように形成されている。
【００７４】
また、上記実施形態に係るハゼ用取付具においては、第１挟持体１，１０，１００と第２挟持体２，２００とが着脱自在である構成を説明したが、斯かる構成に限られない。例えば、第２挟持体は、第１挟持体から取り外せない（分離できない）構成でもよい。
【００７５】
また、上記実施形態に係るハゼ用取付具においては、本体部１１に設けられる孔部１１１が円形状に形成される構成を説明したが、斯かる構成に限られない。例えば、孔部は、挟持方向に沿って長穴形状に形成されたり、挟持方向と直交する方向に沿って長穴形状に形成されたりすることで、本体部１１に対する固定体４の配置を変更できるように構成されてもよい。
【００７６】
また、上記実施形態に係るハゼ用取付具においては、第１挟持体１，１０，１００が二つの螺子孔１３１，１３１を備える構成を説明したが、斯かる構成に限られない。具体的には、第１挟持体は、一つ又は三つ以上の螺子孔１３１，…を備える場合でもよい。
【００７７】
また、上記実施形態に係るハゼ用取付具においては、螺子孔１３１が垂下部本体１３２に固定されるナットで形成される構成を説明したが、斯かる構成に限られない。例えば、螺子孔は、垂下部本体に直接形成される（穿設される）構成でもよい。
【００７８】
また、上記実施形態に係るハゼ用取付具においては、固定体４がボルトである構成を説明したが、斯かる構成に限られない。要するに、固定体は、被固定体Ｙを固定できる構成であればよい。なお、固定体４及びナット５は、本発明に係るハゼ用取付具の必須の構成ではない。
【符号の説明】
【００７９】
１，１０，１００…第１の挟持体、２，２００…第２の挟持体、３…螺子体、１１…本体部、１２…第１の垂下部、１３…第２の垂下部、１４，１４０…第１の挟持部、１５，１５１…案内部、１５２，２３２…規制部、２１…押圧部、２２，２２０…第２の挟持部、３１…先端部
【図１】
0005635899.tif 000002
【図２】
0005635899.tif 000003
【図３】
0005635899.tif 000004
【図４】
0005635899.tif 000005
【図５】
0005635899.tif 000006
【図６】
0005635899.tif 000007
【図７】
0005635899.tif 000008
【図８】
0005635899.tif 000009
【図９】
0005635899.tif 000010
【図１０】
0005635899.tif 000011
【図１１】
0005635899.tif 000012
【図１２】
0005635899.tif 000013
【図１３】
0005635899.tif 000014
【図１４】
0005635899.tif 000015